(57)【要約】【課題】異常温度上昇時に作動する温度過昇防止装置を備えた炊飯器において、通常使用での異常温度上昇時の安全性を確保するとともに、主温度過昇防止装置が作動しない特殊な異常温度上昇時には、鍋の温度上昇による鍋近傍の熱可塑性部材の変形により異常を検知し副温度過昇防止装置を作動させて炊飯器本体の外郭の溶解、変形を未然に防ぎ、安全性を確保する。【解決手段】炊飯器本体１２内の保護枠底部１４および保護枠側面部１５で構成した鍋収納部に鍋１３を着脱自在に収納し、この鍋１３を加熱コイル１７により加熱し、通常使用での異常温度上昇時に主温度過昇防止装置２０を作動させるとともに、主温度過昇防止装置２０が作動しない異常温度上昇時に副温度過昇防止装置２１を作動させる。副温度過昇防止装置２１は、鍋１３の周辺に位置する熱可塑性部材で構成した保護枠底部１４に設ける。【選択図】  図１
2004337425.tif 000002
【特許請求の範囲】
【請求項１】
炊飯器本体と、前記炊飯器本体内に着脱自在に収納される鍋と、前記鍋を収納する鍋収納部と、前記鍋を加熱する加熱手段と、通常使用での異常温度上昇時に作動する主温度過昇防止装置と、前記主温度過昇防止装置が作動しない異常温度上昇時に作動する副温度過昇防止装置とを備え、前記副温度過昇防止装置は、前記鍋の周辺に位置する熱可塑性部材に設けた炊飯器。
【請求項２】
副温度過昇防止装置は、鍋の下方に位置する熱可塑性部材に設けた請求項１記載の炊飯器。
【請求項３】
副温度過昇防止装置は、鍋の側面に対向した熱可塑性部材に設けた請求項１記載の炊飯器。
【請求項４】
副温度過昇防止装置は、鍋方向への付勢力を維持するように鍋収納部に設けた請求項１〜３のいずれか１項に記載の炊飯器。
【請求項５】
副温度過昇防止装置は、鍋を支える熱可塑性部材に設けた請求項１記載の炊飯器。
【発明の詳細な説明】
【０００１】
【発明の属する技術分野】
本発明は、異常温度上昇時に作動する温度過昇防止装置を備えた炊飯器に関するものである。
【０００２】
【従来の技術】
従来、この種の炊飯器は、例えば図６に示すように構成していた。以下、その構成について説明する。
【０００３】
図６に示すように、炊飯器本体１は上面を開口し、内部に鍋２を着脱自在に収納している。保護枠底部３は保護枠側面部４および上枠５とともに鍋収納部を形成している。保護枠底部３の外側に鍋２を誘導加熱する加熱コイル７を内側密巻部７ａと外側密巻部７ａに分けて設けている。制御基板８は加熱コイル７への高周波電力の供給を制御するものである。
【０００４】
底センサ９は鍋２の温度を検知するもので、鍋２に確実に当接させるために可動構成となっており、底センサ９からの温度情報に基づいて制御基板８により炊飯工程を制御している。感熱ユニット１０は鍋２に当接するように設け、内部には異常温度上昇時に制御基板８の電気回路を遮断する温度過昇防止装置１１を設けている（例えば、特許文献１参照）。
【０００５】
【特許文献１】
特公平６−９３８６４号公報
【０００６】
【発明が解決しようとする課題】
しかしながら上述のような構成の炊飯器では、鍋２と感熱ユニット１０の間に異物が介在した状態での異常温度上昇時など、感熱ユニット１０内の温度過昇防止装置１１が作動しない特殊な異常時には、鍋２の温度上昇に伴い鍋収納部のみならず炊飯器本体１の外郭までも溶解・変形し、使用者に不安感を与える恐れがある。
【０００７】
本発明は上記従来の課題を解決するもので、通常使用での異常温度上昇時の安全性を確保するとともに、主温度過昇防止装置が作動しない特殊な異常温度上昇時には、鍋の温度上昇による鍋近傍の熱可塑性部材の変形により異常を検知し副温度過昇防止装置を作動させて炊飯器本体の外郭の溶解、変形を未然に防ぎ、安全性を確保することを目的としている。
【０００８】
【課題を解決するための手段】
本発明は上記目的を達成するために、炊飯器本体内の鍋収納部に鍋を着脱自在に収納し、この鍋を加熱手段により加熱し、通常使用での異常温度上昇時に主温度過昇防止装置を作動させるとともに、主温度過昇防止装置が作動しない異常温度上昇時に副温度過昇防止装置を作動させるよう構成し、副温度過昇防止装置は、鍋の周辺に位置する熱可塑性部材に設けたものである。
【０００９】
これにより、通常使用での異常温度上昇時の安全性を確保することができるとともに、主温度過昇防止装置が作動しない特殊な異常温度上昇時には、鍋の温度上昇による鍋近傍の熱可塑性部材の変形により異常を検知して副温度過昇防止装置を作動させることができ、炊飯器本体の外郭の溶解を未然に防ぐことができ、安全性を確保することができる。
【００１０】
【発明の実施の形態】
本発明の請求項１に記載の発明は、炊飯器本体と、前記炊飯器本体内に着脱自在に収納される鍋と、前記鍋を収納する鍋収納部と、前記鍋を加熱する加熱手段と、通常使用での異常温度上昇時に作動する主温度過昇防止装置と、前記主温度過昇防止装置が作動しない異常温度上昇時に作動する副温度過昇防止装置とを備え、前記副温度過昇防止装置は、前記鍋の周辺に位置する熱可塑性部材に設けたものであり、主温度過昇防止装置と、鍋収納部や鍋フランジといった非可動の熱可塑性部材に設けた副温度過昇防止装置の両者を併用することにより、通常使用での異常温度上昇時の安全性を確保することができるとともに、例えば鍋と主温度過昇防止装置の間に異物が介在するなど、主温度過昇防止装置が作動しない特殊な異常温度上昇時には、鍋の温度上昇による鍋近傍の熱可塑性部材の変形により異常を検知して副温度過昇防止装置を作動させることができ、炊飯器本体の外郭の溶解を未然に防ぐことができ、安全性を確保することができる。
【００１１】
請求項２に記載の発明は、上記請求項１に記載の発明において、副温度過昇防止装置は、鍋の下方に位置する熱可塑性部材に設けたものであり、例えば鍋と主温度過昇防止装置の間に異物が介在するなど、主温度過昇防止装置が働かない特殊な異常温度上昇時に、鍋を支える部材が溶解して鍋が自重により下方へ落ち、鍋の下方に位置する熱可塑性部材に当接した際に、副温度過昇防止装置が温度上昇を検知して作動し、炊飯器本体の外郭の溶解を未然に防ぐことができ、安全性を確保することができる。また、通常時は副温度過昇防止装置が鍋から遠いために作動する温度との余裕をとることができ、副温度過昇防止装置の誤動作を防ぐことができる。
【００１２】
請求項３に記載の発明は、上記請求項１に記載の発明において、副温度過昇防止装置は、鍋の側面に対向した熱可塑性部材に設けたものであり、例えば鍋と主温度過昇防止装置の間に異物が介在するなど、主温度過昇防止装置が働かない特殊な異常温度上昇時に、鍋の側面に対向した熱可塑性部材の温度が異常に上昇した際に、副温度過昇防止装置が温度上昇を検知して作動し、炊飯器本体の外郭の溶解を未然に防ぐことができ、安全性を確保することができる。また、通常時は鍋および加熱手段の双方から遠いために、副温度過昇防止装置が高い温度にさらされることがなく、副温度過昇防止装置の誤動作を防ぐことができる。
【００１３】
請求項４に記載の発明は、上記請求項１〜３に記載の発明において、副温度過昇防止装置は、鍋方向への付勢力を維持するように鍋収納部に設けたものであり、例えば鍋と主温度過昇防止装置の間に異物が介在するなど、主温度過昇防止装置が働かない特殊な異常温度上昇時に、鍋周辺に位置する熱可塑性部材が異常な温度上昇により軟らか軟化した際に、付勢力により副温度過昇防止装置を鍋に近づけて異常温度上昇をはやく検知し、副温度過昇防止装置を作動させることができ、さらなる安全性を確保することができる。
【００１４】
請求項５に記載の発明は、上記請求項１に記載の発明において、副温度過昇防止装置は、鍋を支える熱可塑性部材に設けたものであり、比較的はやく温度が上昇する鍋を支える熱可塑性部材の異常な温度上昇を検知し、副温度過昇防止装置を作動させることができ、安全性を確保することができる。
【００１５】
【実施例】
以下、本発明の実施例について、図面を参照しながら説明する。
【００１６】
（実施例１）
図１に示すように、炊飯器本体１２は上面が開口し、内部に鍋１３の収納部である保護枠底部１４および保護枠側面部１５を配設し、この保護枠側面部１５の上端部は炊飯器本体１２の上面開口部を構成する上枠１６に係合している。ここで、保護枠底部１４は熱可塑性部材で構成している。保護枠底部１４の外側に鍋１３を誘導加熱する加熱手段である加熱コイル１７を設けている。
【００１７】
保護枠底部１４の底中心部に底センサ１８を設け、この底センサ１８で鍋１３内の温度を検知する。制御基板１９は加熱コイル１７への高周波電力の供給を制御するものである。底センサ１８内には主温度過昇防止装置２０を設けており、通常使用での異常温度上昇時には鍋１３の温度上昇により作動し、加熱基板１９の電気回路を遮断し安全性を確保するよう構成している。
【００１８】
副温度過昇防止装置２１は、例えば鍋１３と主温度過昇防止装置２０の間に異物が介在するなど、主温度過昇防止装置２０が作動しない特殊な異常温度上昇時に作動するもので、保護枠底部１４に鍋１３に対向して配置し、この副温度過昇防止装置２１は誤動作防止のために、通常使用においては副温度過昇防止装置２１が作動しないように、副温度過昇防止装置２１の作動温度に対して温度余裕を確保し、かつ、通常使用での異常温度上昇時における主温度過昇防止装置２０の作動時においても、副温度過昇防止装置２１が作動しないように、副温度過昇防止装置２１の作動温度に対して温度余裕を確保できる構成としている。また、副温度過昇防止装置２１の作動温度は保護枠底部１４を構成する熱可塑性部材の溶解温度よりも低い温度を選定している。
【００１９】
上記構成において動作を説明する。底センサ１８や加熱基板１９などの制御手段の異常によって、加熱コイル１７が連続通電状態になるなどの異常温度上昇時、この種のＩＨ方式の炊飯器においては、もっとも温度が上昇する鍋１３の温度を底センサ１８内の主温度過昇防止装置２０にて検知し、電気回路を遮断する。この結果、鍋１３の収納部を構成する保護枠底部１４および保護枠側面部１５が変形するような状況には至らず、底センサ１８や加熱基板１９などの故障部品と主温度過昇防止装置２０の交換だけで、炊飯器を再使用することができる。
【００２０】
図２は、なんらかの要因で主温度過昇防止装置２０が作動しない特殊な状態で、通電を行ったときの各部の温度と時間の相関図である。まず、鍋１３の温度が略直線ａで示すように急激に上昇し、それに追随するように主温度過昇防止装置２０の温度が曲線ｂで示すように上昇する。本来なら、ここで主温度過昇防止装置２０が作動するが、作動しないときはその保護枠底部１４の温度が曲線ｃで示すように上昇し、炊飯器本体１２の外郭の温度は破線で示す曲線ｄのように上昇しようとする。
【００２１】
従来例の構成の場合は、保護枠底部１４の温度が上昇することで、保護枠底部１４が溶解を始めた後、さらに温度上昇することにより、炊飯器本体１２の外郭の温度が上昇し、最終的には使用者に不安を与えるような変形に至る。
【００２２】
しかし、本実施例の場合、保護枠底部１４の温度が上昇することで、副温度過昇防止装置２１の温度が曲線ｅで示すように上昇する。一方、保護枠底部１４の温度が上昇することで、保護枠底部１４を構成する熱可塑性部材が副温度過昇防止装置２１の上に溶け落ち、保護枠底部１４と副温度過昇防止装置２１との接触面積が増える。すると、高熱が伝わり、副温度過昇防止装置２１の温度が急激に上昇し、副温度過昇防止装置２１が作動することにより、加熱基板１９の電気回路を遮断する。これにより、炊飯器本体１２の外郭の温度は実線で示す曲線ｆのように徐々に低下し、溶解する温度に至らずに安全を確保できる。
【００２３】
このように本実施例によれば、通常使用での異常温度上昇時に主温度過昇防止装置２０を作動させるとともに、主温度過昇防止装置２０が作動しない異常温度上昇時に副温度過昇防止装置２１を作動させ、副温度過昇防止装置２１は、鍋１３の周辺に位置する熱可塑性部材で構成した保護枠底部１４に設けたので、通常使用での異常温度上昇時の安全性を確保することができるとともに、主温度過昇防止装置２０が作動しない特殊な異常温度上昇時には、鍋１３の温度上昇による鍋１３近傍の熱可塑性部材で構成した保護枠底部１４の変形により異常を検知して副温度過昇防止装置２１を作動させることができ、炊飯器本体１２の外郭の溶解を未然に防ぐことができ、安全性を確保することができる。
【００２４】
（実施例２）
図３（ａ）（ｂ）に示すように、炊飯器本体２２は上面が開口し、内部に鍋２３の収納部である保護枠底部２４を配設し、この収納部の上端部は炊飯器本体２２の上面開口部を構成する上枠２５に係合している。ここで、保護枠底部２４は熱可塑性部材で構成している。保護枠底部２４の外側に鍋２３を誘導加熱する加熱手段である加熱コイル２８を設けている。
【００２５】
保護枠底部２４の底中心部に底センサ２６を設け、この底センサ２６で鍋２３内の温度を検知する。底センサ２６内には主温度過昇防止装置２７を設けており、通常使用での異常温度上昇時には鍋２３の温度上昇により作動し、加熱基板（図示せず）の電気回路を遮断し安全性を確保するよう構成している。
【００２６】
副温度過昇防止装置２９は、例えば鍋１３と底センサ２６の間に異物３０が介在するなど、主温度過昇防止装置２７が作動しない特殊な異常温度上昇時に作動するもので、熱可塑性部材により構成した保護枠底部２４の加熱コイル２８設置側に配置している。他の構成は上記実施例１と同じである。
【００２７】
上記構成において動作を説明する。なお、通常使用での底センサ２６や加熱基板などの制御手段の異常によって、加熱コイル２８が連続通電状態になるなどの異常温度上昇時の動作は上記実施例１と同じであるので説明を省略する。
【００２８】
図３（ａ）に示すように、鍋１３と底センサ２６の間に異物３０が介在した状態で加熱コイル２８が連続通電状態となり、主温度過昇防止装置２７が作動しないと、鍋２３を支える上枠２５が溶解し、図３（ｂ）に示すように、鍋２３が自重により下方へ落ち、熱可塑性部材で構成した保護枠底部２４に当接すると保護枠底部２４が溶解し、保護枠底部２４を介して副温度過昇防止装置２９の温度を上昇させる。
【００２９】
これにより、副温度過昇防止装置２９が作動し、炊飯器本体２２の外郭が溶解する温度に至る前に電気回路を遮断し、安全性を確保することができる。
【００３０】
また、この構成は副温度過昇防止装置２９が鍋２３に面していないため、高温になりにくく、上記実施例１に比して、通常時の副温度過昇防止装置２９の作動温度に対する余裕が確保しやすく、誤動作に対する安全性を高めることができる。
【００３１】
このように本実施例によれば、副温度過昇防止装置２９は、鍋２３の下方に位置する熱可塑性部材で構成した保護枠底部２４に設けたので、主温度過昇防止装置２７が働かない特殊な異常温度上昇時に、鍋２３を支える上枠２５が溶解し、鍋２３が自重により下方へ落ち、鍋２３の下方に位置する熱可塑性部材で構成した保護枠底部２４に当接した際に、副温度過昇防止装置２９が温度上昇を検知して作動し、炊飯器本体２２の外郭の溶解を未然に防ぐことができ、安全性を確保することができる。また、通常時は副温度過昇防止装置２９が鍋２３から遠いために作動する温度との余裕をとることができ、副温度過昇防止装置２９の誤動作を防ぐことができる。
【００３２】
（実施例３）
図４（ａ）（ｂ）に示すように、炊飯器本体３７は上面が開口し、内部に鍋３３の収納部である保護枠底部３６および保護枠側面部３１を配設している。ここで、保護枠側面部３１は熱可塑性部材で構成している。保護枠底部３６の外側に鍋３３を誘導加熱する加熱手段である加熱コイル３８を設けている。
【００３３】
副温度過昇防止装置３２は、例えば鍋３３と底センサ（図示せず）の間に異物が介在するなど、主温度過昇防止装置（図示せず）が作動しない特殊な異常温度上昇時に作動するもので、支え部材３４により熱可塑性部材で構成した保護枠側面部３１に付勢して、ねじ３５で保護枠底部３６に固定している。他の構成は上記実施例１と同じである。
【００３４】
上記構成において動作を説明する。なお、通常使用での底センサや加熱基板などの制御手段の異常によって、加熱コイル３８が連続通電状態になるなどの異常温度上昇時の動作は上記実施例１と同じであるので説明を省略する。
【００３５】
鍋３３と底センサの間に異物が介在した状態で加熱コイル３８が連続通電状態となり、主温度過昇防止装置が作動しないと、鍋３３の温度上昇に伴い、保護枠側面部３１が溶解し、図４（ｂ）に示すように、副温度過昇防止装置３２の上に垂れ下がる。この際、副温度過昇防止装置３２の温度は急激に上昇し、作動することにより、炊飯器本体３７の外郭が溶解する温度に至る前に電気回路を遮断し、安全性を確保することができる。
【００３６】
また、この構成は副温度過昇防止装置３２が鍋３３に面していない上に、加熱コイル３８とも距離を確保できるため高温になりにくく、上記実施例１または２に比して、通常時の副温度過昇防止装置３２の作動温度に対する余裕が確保しやすくなるため、誤動作に対する安全性をさらに高めることができる。
【００３７】
また、支え部材３４を金属で構成するなどして弾性を持たし、鍋３３の方向への付勢力を維持するように副温度過昇防止装置３２を固定しておくと、上記実施例１で述べた特殊な状態での通電時、保護枠側面部３１が溶解し垂れ下がる前の軟化した段階で、支え部材３４による付勢力により副温度過昇防止装置３２を鍋３３に近づけ、急激な温度上昇を可能とし、付勢力がない構成よりも早く作動することができる。
【００３８】
また、保護枠側面部３１の下方に潜り込むような姿勢になるため、図４（ｂ）のように副温度過昇防止装置３２の上に溶解した保護枠側面部３１が確実に垂れ下がるようにすることができ、炊飯器全体の損傷が進まないはやい段階で電気回路を遮断し、さらなる安全性を確保することができる。
【００３９】
このように本実施例によれば、副温度過昇防止装置３２は、鍋３３の側面に対向した熱可塑性部材で構成した保護枠側面部３１に設けたので、主温度過昇防止装置が働かない特殊な異常温度上昇時に、鍋３３の側面に対向した保護枠側面部３１の温度が異常に上昇した際に、副温度過昇防止装置３２が温度上昇を検知して作動し、炊飯器本体３７の外郭の溶解を未然に防ぐことができ、安全性を確保することができる。また、通常時は鍋３３および加熱コイル３８の双方から遠いために、副温度過昇防止装置３２が高い温度にさらされることがなく、副温度過昇防止装置３２の誤動作を防ぐことができる。
【００４０】
また、副温度過昇防止装置３２は、鍋３３方向への付勢力を維持するように設けたので、主温度過昇防止装置が働かない特殊な異常温度上昇時に、鍋３３周辺に位置する熱可塑性部材で構成した保護枠側面部３１が異常な温度上昇により軟らか軟化した際に、付勢力により副温度過昇防止装置３２を鍋３３に近づけて異常温度上昇をはやく検知し、副温度過昇防止装置３２を作動させることができ、さらなる安全性を確保することができる。
【００４１】
なお、本実施例では、副温度過昇防止装置３２に鍋３３方向への付勢力を与える手段として、支え部材３４を金属で構成する手段を採用しているが、付勢手段は限定するものではない。
【００４２】
（実施例４）
図５に示すように、炊飯器本体４２は上面が開口し、内部に鍋４１を着脱自在に収納し、この鍋４１を炊飯器本体４２の上面開口部を構成する上枠３９により支持している。ここで、上枠３９は熱可塑性部材で構成している。
【００４３】
副温度過昇防止装置４０は、例えば鍋４１と底センサ（図示せず）の間に異物が介在するなど、主温度過昇防止装置（図示せず）が作動しない特殊な異常温度上昇時に作動するもので、上枠３９に固定している。他の構成は上記実施例１と同じである。
【００４４】
上記構成において動作を説明する。なお、通常使用での底センサや加熱基板などの制御手段の異常によって、加熱コイルが連続通電状態になるなどの異常温度上昇時の動作は上記実施例１と同じであるので説明を省略する。
【００４５】
鍋４１と底センサの間に異物が介在した状態で加熱コイル（図示せず）が連続通電状態となり、主温度過昇防止装置が作動しないと、鍋４１の温度上昇に伴い、上枠３９が溶解し、熱可塑性部材が垂れ下がると、副温度過昇防止装置４０の温度が上昇し、作動することにより、炊飯器本体４２の外郭が溶解する温度に至る前に電気回路を遮断し、安全性を確保することができる。
【００４６】
このように本実施例によれば、副温度過昇防止装置４０は、鍋４１を支える熱可塑性部材で構成した上枠３９に設けたので、比較的はやく温度が上昇する鍋４１を支える上枠３９の異常な温度上昇を検知し、副温度過昇防止装置４０を作動させることができ、安全性を確保することができる。
【００４７】
なお、上記実施例１〜４では、主温度過昇防止装置を底センサ内に設けてているが、副温度過昇防止装置よりはやく、異常時の温度検知ができる場所であれば設置場所は限定するものではない。
【００４８】
また、上記実施例３で述べた、鍋３３方向への付勢力を維持するように副温度過昇防止装置３２を固定する構成は、実施例２または４についても応用できる。
【００４９】
加えて、上記各実施例では、加熱手段として加熱コイルによる誘導加熱を採用して説明したが、加熱コイルに限らないことはいうまでもない。
【００５０】
【発明の効果】
以上のように請求項１に記載の発明によれば、炊飯器本体内の鍋収納部に鍋を着脱自在に収納し、この鍋を加熱手段により加熱し、通常使用での異常温度上昇時に主温度過昇防止装置を作動させるとともに、主温度過昇防止装置が作動しない異常温度上昇時に副温度過昇防止装置を作動させるよう構成し、副温度過昇防止装置は、鍋の周辺に位置する熱可塑性部材に設けたから、通常使用での異常温度上昇時の安全性を確保することができるとともに、主温度過昇防止装置が作動しない特殊な異常温度上昇時には、鍋の温度上昇による鍋近傍の熱可塑性部材の変形により異常を検知して副温度過昇防止装置を作動させることができ、炊飯器本体の外郭の溶解を未然に防ぐことができ、安全性を確保することができる。
【００５１】
また、請求項２に記載の発明によれば、副温度過昇防止装置は、鍋の下方に位置する熱可塑性部材に設けたから、主温度過昇防止装置が働かない特殊な異常温度上昇時に、鍋を支える部材が溶解して鍋が自重により下方へ落ち、鍋の下方に位置する熱可塑性部材に当接した際に、副温度過昇防止装置が温度上昇を検知して作動し、炊飯器本体の外郭の溶解を未然に防ぐことができ、安全性を確保することができる。また、通常時は副温度過昇防止装置が鍋から遠いために作動する温度との余裕をとることができ、副温度過昇防止装置の誤動作を防ぐことができる。
【００５２】
また、請求項３に記載の発明によれば、副温度過昇防止装置は、鍋の側面に対向した熱可塑性部材に設けたから、主温度過昇防止装置が働かない特殊な異常温度上昇時に、鍋の側面に対向した熱可塑性部材の温度が異常に上昇した際に、副温度過昇防止装置が温度上昇を検知して作動し、炊飯器本体の外郭の溶解を未然に防ぐことができ、安全性を確保することができる。また、通常時は鍋および加熱手段の双方から遠いために、副温度過昇防止装置が高い温度にさらされることがなく、副温度過昇防止装置の誤動作を防ぐことができる。
【００５３】
また、請求項４に記載の発明によれば、副温度過昇防止装置は、鍋方向への付勢力を維持するように鍋収納部に設けたから、主温度過昇防止装置が働かない特殊な異常温度上昇時に、鍋周辺に位置する熱可塑性部材が異常な温度上昇により軟らか軟化した際に、付勢力により副温度過昇防止装置を鍋に近づけて異常温度上昇をはやく検知し、副温度過昇防止装置を作動させることができ、さらなる安全性を確保することができる。
【００５４】
また、請求項５に記載の発明によれば、副温度過昇防止装置は、鍋を支える熱可塑性部材に設けたから、比較的はやく温度が上昇する鍋を支える熱可塑性部材の異常な温度上昇を検知し、副温度過昇防止装置を作動させることができ、安全性を確保することができる。
【図面の簡単な説明】
【図１】本発明の第１の実施例の炊飯器の断面図
【図２】同炊飯器の特殊な異常温度上昇時の各部温度上昇を示すタイムチャート
【図３】（ａ）本発明の第２の実施例の炊飯器の要部断面図（ｂ）同炊飯器の特殊な異常温度上昇時の要部断面図
【図４】（ａ）本発明の第３の実施例の炊飯器の要部断面図（ｂ）同炊飯器の特殊な異常温度上昇時の要部断面図
【図５】本発明の第４の実施例の炊飯器の要部断面図
【図６】従来の炊飯器の断面図
【符号の説明】
１２  炊飯器本体
１３  鍋
１４  保護枠底部（鍋収納部、熱可塑性部材）
１５  保護枠側面部（鍋収納部）
１７  加熱コイル（加熱手段）
２０  主温度過昇防止装置
２１  副温度過昇防止装置
【図１】
2004337425.tif 000003
【図２】
2004337425.tif 000004
【図３】
2004337425.tif 000005
【図４】
2004337425.tif 000006
【図５】
2004337425.tif 000007
【図６】
2004337425.tif 000008